(57)【要約】【課題】  閃光発光の影響度合いを判定して、良好な色バランス調整を行う【解決手段】  本発明の電子カメラは、画像取得部、輝度比検出部、および色バランス調整部を備える。画像取得部は、閃光装置を制御して、閃光無しで撮像された非閃光画像、および閃光有りで撮像された閃光画像を取得する。輝度比検出部は、非閃光画像について画面内の異なる領域Ａ，Ｂ間における輝度の比を求めて輝度比Ｒｎｆとする。また、輝度比検出部は、同様にして閃光画像について輝度比Ｒｆとする。さらに、輝度比検出部は、閃光の有無に伴う輝度比Ｒｎｆ，Ｒｆの変化量Ｃを求める。色バランス調整部は、変化量Ｃが大きいほど、閃光の色温度を重視した色バランス調整を、閃光撮影された本画像に施す。【選択図】図３
2006054775.tif 000002
【特許請求の範囲】
【請求項１】
閃光装置を制御して、閃光無しで撮像された非閃光画像、および閃光有りで撮像された閃光画像を取得する画像取得部と、
前記非閃光画像について画面内の異なる領域Ａ，Ｂ間における輝度の比を求めて輝度比Ｒｎｆとし、前記閃光画像について画面内の前記領域Ａ，Ｂ間における輝度の比を求めて輝度比Ｒｆとし、前記閃光の有無に伴う前記輝度比Ｒｎｆ，Ｒｆの変化量Ｃを求める輝度比検出部と、
前記変化量Ｃが大きいほど、前記閃光の色温度を重視した色バランス調整を設定し、閃光撮影された本画像に前記色バランス調整を施す色バランス調整部と
を備えたことを特徴とする電子カメラ。
【請求項２】
請求項１に記載の電子カメラにおいて、
前記輝度比検出部は、
前記非閃光画像について、前記画面中央域の輝度と、前記画面全域または前記画面周辺域の輝度との輝度比Ｒｎｆを求め、
前記閃光画像について、前記画面中央域の輝度と、前記画面全域または前記画面周辺域の輝度との輝度比Ｒｆを求める
ことを特徴とする電子カメラ。
【請求項３】
請求項１または請求項２に記載の電子カメラにおいて、
前記色バランス調整部は、
前記変化量Ｃが小さいほど、前記本画像または前記閃光画像の色温度を重視した色バランス調整を設定し、前記本画像に前記色バランス調整を施す
ことを特徴とする電子カメラ。
【請求項４】
請求項１ないし請求項３のいずれか１項に記載の電子カメラにおいて、
前記色バランス調整部は、
前記変化量Ｃが大きいほど、前記色バランス調整における緑かぶりの補正量（赤青成分を緑成分よりも相対的に大きくする補正量）を弱める
ことを特徴とする電子カメラ。
【請求項５】
請求項１ないし請求項４のいずれか１項に記載の電子カメラにおいて、
前記画像取得部は、
前記閃光装置を閃光発光させない状態で、前記非閃光画像を撮像する副撮像素子と、
前記閃光装置を閃光発光させた状態で、前記本画像を兼ねた前記閃光画像を撮像する主撮像素子とを有する
ことを特徴とする電子カメラ。
【請求項６】
請求項１ないし請求項４のいずれか１項に記載の電子カメラにおいて、
前記画像取得部は、
前記閃光装置のプリ発光の前または後に前記非閃光画像を撮像し、前記プリ発光中に前記閃光画像を撮像する副撮像素子と、
前記閃光装置を本発光させた状態で前記本画像を撮像する主撮像素子とを有する
ことを特徴とする電子カメラ。
【請求項７】
コンピュータを、請求項１ないし請求項６のいずれか１項に記載の前記輝度比検出部、および前記色バランス調整部として機能させるためのプログラム。
【発明の詳細な説明】
【技術分野】
【０００１】
閃光撮影した画像データに色バランス調整を施す電子カメラに関する。
また、本発明は、コンピュータ上において、閃光撮影した画像データに色バランス調整を施すためのプログラムに関する。
【背景技術】
【０００２】
従来、閃光撮影時のホワイトバランス調整を行う技術として、特許文献１が知られている。この特許文献１では、同一露出条件の元で、非閃光画像および閃光画像を撮像し、両画像間の輝度差を求める。この画像間の輝度差が大きい場合、閃光の色温度に基づいてホワイトバランス調整を実施する。逆に画像間の輝度差が小さい場合、外光の色温度に基づいてホワイトバランス調整を実施する。
【０００３】
また、蛍光灯照明下において撮影を行うと、蛍光灯の波長特性によって、撮像画像に緑かぶりを生じることが知られている。特許文献２には、このような緑かぶりを補正する技術が記載されている。
【特許文献１】特開平８−５１６３２号公報（請求項１など）
【特許文献２】特開２００３−２６４８５０号公報（要約など）
【発明の開示】
【発明が解決しようとする課題】
【０００４】
ところで、特許文献１の場合、閃光発光の有無による輝度差を正確に検出するため、閃光無しの撮影と、閃光撮影とを、同一の露出条件（同一の絞り値、同一の撮像感度、および同一の電荷蓄積時間）で実施する必要がある。そのため、スローシンクロ撮影時のような長秒時の閃光撮影では、閃光無しの撮影についても長秒時にわたって実施しなければならない。この場合、本番の閃光撮影が遅れて、シャッタチャンスを逃すなどの不具合が生じる。
【０００５】
また、閃光無し撮影と閃光撮影との露出条件を一致させて撮影を開始するため、途中で閃光撮影の露出条件を変更することができない。そのため、閃光無しの撮影結果を解析した上で、閃光撮影の露出条件を臨機応変に変えるといった動作が不可能になる。
【０００６】
ところで、夜景撮影や室内撮影などでは、蛍光灯や電球や閃光のミックスされた複雑な照明環境となることが多い。このような環境で各光の当たり方にムラが生じると、緑かぶりにもムラが生じる。例えば、高層ビル群（窓からは多数の蛍光灯が見える）を背景に、手前の人物に閃光を照射して、スローシンクロ撮影を実施する場合を考える。この場合、背景の大部分を占める高層ビル群の明かりには、蛍光灯による緑かぶりが発生する。一方、手前の人物は、閃光に強く照らされ、緑かぶりは生じない。
この状態の撮像画像に対して、特許文献２の通りに緑かぶりの補正を行うと、緑かぶりを生じていない人物の赤青成分が上がり過ぎて、人物に不自然なマゼンタかぶりが生じてしまう。
【０００７】
これら従来の不具合に鑑みて、本発明は、閃光無し撮影と閃光撮影とにおいて露出条件を変更しても、閃光発光の影響度合いを適切に判定する技術を提供することを目的とする。
【課題を解決するための手段】
【０００８】
《１》
本発明の電子カメラは、画像取得部、輝度比検出部、および色バランス調整部を備える。
画像取得部は、閃光装置を制御して、閃光無しで撮像された非閃光画像、および閃光有りで撮像された閃光画像を取得する。
輝度比検出部は、非閃光画像について画面内の異なる領域Ａ，Ｂ間における輝度の比を求めて輝度比Ｒｎｆとする。また、輝度比検出部は、閃光画像についても同様にして輝度比Ｒｆを求める。さらに、輝度比検出部は、閃光の有無に伴う輝度比Ｒｎｆ，Ｒｆの変化量Ｃを求める。
色バランス調整部は、変化量Ｃが大きいほど、閃光の色温度を重視した色バランス調整を設定し、閃光撮影された本画像に色バランス調整を施す。
【０００９】
《２》
なお好ましくは、輝度比検出部は、非閃光画像について『画面中央域の輝度』と『画面全域または画面周辺域の輝度』の輝度比Ｒｎｆを求める。また、輝度比検出部は、閃光画像についても『画面中央域の輝度』と『画面全域または画面周辺域の輝度』の輝度比Ｒｆを求める。
【００１０】
《３》
また好ましくは、色バランス調整部は、変化量Ｃが小さいほど、本画像または閃光画像の色温度を重視した色バランス調整を設定し、本画像に色バランス調整を施す。
【００１１】
《４》
なお好ましくは、色バランス調整部は、変化量Ｃが大きいほど、色バランス調整における緑かぶりの補正量（赤青成分を緑成分よりも相対的に大きくする補正量）を弱める。
【００１２】
《５》
また好ましくは、画像取得部は、副撮像素子、および主撮像素子を備える。
副撮像素子は、閃光装置を閃光発光させない状態で、非閃光画像を撮像する。
主撮像素子は、閃光装置を閃光発光させた状態で、閃光画像（本画像を兼ねる）を撮像する。
【００１３】
《６》
なお好ましくは、画像取得部は、副撮像素子、および主撮像素子を備える。
副撮像素子は、閃光装置のプリ発光の前または後に非閃光画像を撮像し、プリ発光中に閃光画像を撮像する。
主撮像素子は、閃光装置を本発光させた状態で本画像を撮像する。
【００１４】
《７》
本発明のプログラムは、コンピュータを、上記《１》ないし《６》のいずれか１項に記載の輝度比検出部、および色バランス調整部として機能させることを特徴とする。
【発明の効果】
【００１５】
（１）
本発明の電子カメラは、画面内の異なる領域Ａ，Ｂ間について輝度の比率を求める。
もしも、この輝度比が閃光照明によって大きく変化したとすると、領域ＡＢ間において閃光の届き方や、被写界の反射率にムラがあったと判断できる。このように照明状態が不均一になると、閃光画像それ自体から推定される色温度に基づいてホワイトバランス調整を適切に行うことは難しくなる。無理に行えば、推定色温度とは異なる照明箇所の色が不自然に調整されてしまう。
【００１６】
そこで、本発明では、閃光画像／非閃光画像の間で輝度比の変化量Ｃが大きくなると、閃光の色温度を重視した色バランス調整を実施する。一般に、閃光照明がよく当たっている箇所は、手前ないしカメラに正対して位置するといった撮影環境にあることから、主要被写体である可能性が大である。したがって、輝度比の変化量Ｃが大きいほど、閃光の色温度を重視して色バランス調整を実施することにより、高い成功確率で主要被写体の色バランスを良好に調整できる。
【００１７】
ところで、ここで求めている輝度比は、画面内の領域ＡＢ間において輝度の比率を取った値であり、相対的な値である。したがって、輝度比には、露出条件（撮像素子、絞り値、撮像感度、および電荷蓄積時間）の違いは現れにくい。そのため、閃光画像と非閃光画像の間で、露出条件を完全一致させる必要性は少なく、露出条件を適宜にずらすことが許容される。例えば、スローシンクロ撮影において、非閃光画像の電荷蓄積時間を適宜に短縮することが可能になる。この場合、本番の閃光撮影はさほど遅れず、シャッタチャンスを逃すことは少なくなる。
なお、本発明では、非閃光画像を解析することで、閃光撮影の露出条件を臨機応変に変更するといった高度な露出制御も可能になる。
【００１８】
（２）
なお、主要被写体は、画面中央域に一部かかって存在することが多い。そこで、本発明では、輝度比を『画面中央域の輝度』と『画面全域または画面周辺域の輝度』との比較から求めることが好ましい。
このような輝度比の求め方により、主要被写体とその他領域とに生じる閃光ムラを見逃さずに検出できる。その結果、より高い成功確率で主要被写体の色バランスを良好に調整できる。
【００１９】
（３）
ところで、輝度比が閃光照明によってさほど変化しない場合、領域ＡＢ間において閃光の照明状態は均一に近いと判断できる。
通常に、閃光照明は一種の点光源に近いため、照明状態にムラが生じやすい。それにもかかわらず閃光照明下において照明状態が均一に近いということは、例えば下記の状況が予想される。
【００２０】
ケース１：被写界が平板で、閃光が均一に当たっている。
ケース２：閃光よりも外光の割合が高く、閃光の有無による状態変化が小さい。
ケース３：被写体距離が全般的に遠いなどの理由から、閃光照明が有効に照射されていない。
【００２１】
これらの状況において、閃光の色温度を重視した色バランス調整を実施すると、上記のケース２，３において、色バランスが不自然に調整されてしまう。
【００２２】
そこで、本発明では、閃光の有無によって輝度比の変化が小さいほど、本画像または閃光画像の色温度を重視した色バランス調整を設定することが好ましい。この場合、照明状態が均一に近いため、閃光撮影された本画像（あるいは閃光画像）から、色温度を比較的に正確に推定できる。その結果、上記のケース１〜３のいずれの場合においても、高い成功確率で本画像の色バランスを良好に調整できる。
【００２３】
（４）
ところで、閃光の有無によって輝度比の変化が大きい場合、画面内の領域Ａ，Ｂのいずれかは閃光照明がよく当たっている箇所である。この箇所は、閃光照明の割合が高く、蛍光灯による緑かぶりが軽減される。
そこで、本発明では、輝度比の変化量Ｃが大きいほど、色バランス調整における緑かぶりの補正量（赤青成分を緑成分よりも相対的に大きくする補正量）を弱めることが好ましい。
この動作により、画面内の閃光照明がよく当たっている箇所（主要被写体の可能性大）において、緑かぶりの過剰補正に伴うマゼンタかぶりを確実に防止できる。
【００２４】
（５）
ところで、本発明では、撮像素子を２系統備え、一方の副撮像素子で非閃光画像を撮像し、他方の主撮像素子で閃光画像（本画像を兼ねる）を撮像することが好ましい。
このように非閃光画像用の副撮像素子と、閃光画像用の主撮像素子とを個別に設けることができるのは、本発明の輝度比が相対値であり、輝度比に撮像素子の違いが現れにくいからである。
また、電子カメラ（主撮像素子）が高画素化されても、副撮像素子の画素数を低く抑えることで、非閃光画像の画像読み出し時間を短く保つことができる。その結果、本発明の撮像シーケンスにかかる処理時間を短縮することが可能になる。
【００２５】
（６）
また、本発明では、副撮像素子を用いて、閃光装置のプリ発光の前または後に非閃光画像を撮像し、プリ発光中に閃光画像を撮像することが好ましい。この場合、主撮像素子は本画像の撮影に使用する。したがって、電子カメラ（主撮像素子）が高画素化されても、副撮像素子の画素数を低く抑えることで、非閃光画像および閃光画像の画像読み出し時間を短く保つことができる。その結果、本発明の撮像シーケンスにかかる処理時間を更に短縮することが可能になる。
【００２６】
（７）
なお、本発明のプログラムをコンピュータで実行することにより、コンピュータを、上述した輝度比検出部および色バランス調整部として機能させることができる。その結果、上記の電子カメラと同様の色バランス調整を、コンピュータ上で実現することができる。
【発明を実施するための最良の形態】
【００２７】
（１）第１実施形態
《第１実施形態の構成説明》
図１は、本実施形態における電子カメラ１１の部品配置を説明する図である。
図１において、電子カメラ１１には、電子閃光装置１２および撮影レンズ１３が設けられる。この撮影レンズ１３の像空間側には、クイックリターン式のミラー１５が設けられる。このミラー１５に反射された被写体光束の結像位置には、拡散板１６が配置される。ユーザーは、この拡散板１６に形成される被写体像を、ファインダー光学系１７を介して観察する。なお、この拡散板１６からの光束は、ファインダー光学系１７の隅に設けられた測光用撮像素子１８の撮像面に導かれ、この撮像面に被写体像を再結像する。さらに、ミラー１５の後方には、シャッタ１９ａおよび記録用撮像素子１９などが配置される。
【００２８】
図２は、この電子カメラ１１の画像処理に関するブロック図である。
図２において、測光用撮像素子１８の出力は、Ａ／Ｄ変換部２０を介して、画像メモリ２２に入力される。また、記録用撮像素子１９の出力は、Ａ／Ｄ変換部２１を介して、画像メモリ２２に入力される。この画像メモリ２２は、バス２３に接続される。このバス２３には、画像処理部２４、圧縮記録部２５、撮像制御部２７、閃光発光制御部２８、およびマイクロプロセッサ２９などが接続される。
【００２９】
この内、圧縮記録部２５は、着脱自在なメモリカード２６に対して画像データを圧縮記録する。また、マイクロプロセッサ２９には、レリーズ釦２９ａなどから操作入力が与えられる。
【００３０】
《発明との対応関係》
以下、請求項の記載事項と第１実施形態との対応関係について説明する。なお、ここでの対応関係は、参考のために一解釈を例示するものであり、本発明を徒らに限定するものではない。
請求項記載の画像取得部は、撮像制御部２７、閃光発光制御部２８、測光用撮像素子１８および記録用撮像素子１９に対応する。
請求項記載の輝度比検出部は、マイクロプロセッサ２９の『輝度比Ｒｆ、Ｒｎｆの変化量Ｃを求める機能』に対応する。
請求項記載の色バランス調整部は、マイクロプロセッサ２９および画像処理部２４による『変化量Ｃを尺度にして本画像の色バランス調整を設定して実行する機能』に対応する。
請求項記載の副撮像素子は、測光用撮像素子１８に対応する。
請求項記載の主撮像素子は、記録用撮像素子１９に対応する。
【００３１】
《第１実施形態の動作説明》
図３は、第１実施形態の動作を説明する流れ図である。
以下、図３に示すステップ番号に沿って、電子カメラ１１の動作を説明する。
【００３２】
［ステップＳ１］  レリーズ操作の開始前、ミラー１５は下降状態にある。そのため、撮影レンズ１３を通過した被写体光束は、拡散板１６、ファインダー光学系１７を介して、測光用撮像素子１８の撮像面に被写体像を形成する。
この状態で、マイクロプロセッサ２９は、撮像制御部２７を用いて測光用撮像素子１８に駆動信号を与える。測光用撮像素子１８からは、閃光無しで撮像された非閃光画像が出力される。この非閃光画像は、Ａ／Ｄ変換部２０を介して画素単位にデジタル化された後、画像メモリ２２に一時蓄積される。
【００３３】
［ステップＳ２］  マイクロプロセッサ２９は、画像メモリ２２内にアクセスして、非閃光画像の小領域（例えば画素毎）ごとに輝度成分を求める。
なお、この非閃光画像を構成する各色成分を、輝度成分の構成比率（例えばＲ：Ｇ：Ｂ＝０．２９：０．５８７：０．１１４等）に従って加算して、輝度成分を生成することが好ましい。また、非閃光画像中の輝度成分を多く含む色成分（Ｇ色成分など）を、そのまま輝度成分とみなしてもよい。
マイクロプロセッサ２９は、このように求めた非閃光画像の輝度成分を、画面中央域と画面周辺域とに区分し、それぞれに平均輝度を求める。マイクロプロセッサ２９は、これら平均輝度を下式に代入して、輝度比Ｒｎｆを求める。
輝度比Ｒｎｆ＝（画面中央域の平均輝度）／（画面周辺域の平均輝度）
なお、画面周辺域の平均輝度がたとえゼロであっても、輝度比Ｒｎｆがオーバーフローしないように、上式右辺の分母に微小値を加算することが好ましい。
【００３４】
［ステップＳ３］  マイクロプロセッサ２９は、レリーズ釦２９ａが全押しされたか否かを判断する。
もしも、レリーズ釦２９ａが全押しされた場合、マイクロプロセッサ２９はステップＳ４に動作を移行する。
一方、レリーズ釦２９ａが全押し以外（半押しまたは押されていない）の場合、マイクロプロセッサ２９は、ステップＳ１に動作を戻す。
【００３５】
［ステップＳ４］  マイクロプロセッサ２９は、プリ発光を次のように実施する。まず、マイクロプロセッサ２９は、ミラー１５を跳ね上げて、シャッタ１９ａのシャッタ幕に被写体像を投影する。この状態で、マイクロプロセッサ２９は、閃光発光制御部２８を用いて、電子閃光装置１２に微小なプリ発光を実施させる。マイクロプロセッサ２９は、シャッタ１９ａを見込む位置に設けられた測光素子（不図示）を用いて、プリ発光時のシャッタ幕の明るさを測定する。マイクロプロセッサ２９は、このプリ発光時のシャッタ幕の明るさに応じて、本発光の目標光量を決定する。この本発光の目標光量は、電子閃光装置１２側に情報伝達される。
【００３６】
［ステップＳ５］  続いて、マイクロプロセッサ２９は、シャッタ１９ａの先幕を開き、記録用撮像素子１９の撮像面に被写体像を投影開始する。
単発式の本発光を実施する場合、シャッタ１９ａが全開した時点で、マイクロプロセッサ２９は、電子閃光装置１２に本発光を開始させる。電子閃光装置１２は、この本発光の発光量をモニタし、予め情報伝達された目標光量に到達した時点で、本発光を停止させる。
一方、露出設定された電荷蓄積時間が経過すると、マイクロプロセッサ２９は、シャッタ１９ａの後幕を閉じる。このようにしてシャッタ１９ａが完全に閉じると、マイクロプロセッサ２９は、ミラー１５を下に降ろす。なお、ここでの電荷蓄積時間は、非閃光画像の輝度分布（ヒストグラム）などに基づいて、柔軟に変更することが好ましい。
【００３７】
［ステップＳ６］  マイクロプロセッサ２９は、撮像制御部２７を用いて記録用撮像素子１９に駆動信号を与える。記録用撮像素子１９からは、閃光有りで撮像された閃光画像（本画像を兼ねる）が出力される。この閃光画像は、Ａ／Ｄ変換部２１を介して画素単位にデジタル化された後、画像メモリ２２に一時蓄積される。
【００３８】
［ステップＳ７］  マイクロプロセッサ２９は、画像メモリ２２内にアクセスして、閃光画像から低彩度領域（彩度が所定値以下の領域）を読み出す。マイクロプロセッサ２９は、この低彩度領域のＲＧＢ色成分について小領域（例えば画素毎）ごとに色度（Ｒ／Ｇ，Ｂ／Ｇ）を求め、これら色度の分布中心を求める。続いて、マイクロプロセッサ２９は、この分布中心と、色度座標上の黒体軌跡との乖離を判定する。
さらに、マイクロプロセッサ２９は、この分布中心を黒体軌跡に写像し、黒体軌跡上の相関色温度を検出する。
【００３９】
［ステップＳ８］  マイクロプロセッサ２９は、上述した緑方向への乖離を短縮するための色比率（ＲゲインおよびＢゲイン）を求めて、緑かぶりの補正係数とする。
【００４０】
［ステップＳ９］  マイクロプロセッサ２９は、画像メモリ２２内にアクセスして、閃光画像を読み出し、非閃光画像との比較に適する処理画像に加工する。
この処理画像の作成に際しては、下記のような撮像素子の差を抑制する画像処理を施すことが好ましい。
【００４１】
（１）非閃光画像の撮像画角に合わせて、閃光画像から処理画像を切り出す処理。
（２）測光用撮像素子１８の小領域（ステップＳ４参照）の各位置に合わせて、閃光画像を画素ブロックに分割し、画素ブロック単位に輝度成分（Ｇ色などの疑似輝度成分も含む）を求める処理。
（３）非閃光画像の最大階調値、平均階調値、最頻度階調値、および最小階調値などに合わせて、閃光画像の最大階調値、平均階調値、最頻度階調値、および最小階調値などを正規化して合わせる処理。
（４）非閃光画像の階調特性に合わせて、閃光画像の階調ステップ数や階調カーブを変換する処理。
【００４２】
［ステップＳ１０］  マイクロプロセッサ２９は、閃光画像から作成した処理画像を、画面中央域と画面周辺域とに区分し、それぞれに平均輝度を求める。マイクロプロセッサ２９は、これら平均輝度を下式に代入して、輝度比Ｒｆを求める。
輝度比Ｒｆ＝（画面中央域の平均輝度）／（画面周辺域の平均輝度）
なお、画面周辺域の平均輝度がたとえゼロであっても、輝度比Ｒｆがオーバーフローしないように、上式右辺の分母に微小値を加算することが好ましい。
【００４３】
［ステップＳ１１］  マイクロプロセッサ２９は、閃光発光に伴う輝度比Ｒｎｆ、Ｒｆの変化量Ｃを求める。
変化量Ｃ＝｜輝度比Ｒｆ−輝度比Ｒｎｆ｜
【００４４】
［ステップＳ１２］  この変化量Ｃの大小から、次のような判断および対処が可能になる。
【００４５】
（変化量Ｃが大きいケース）
変化量Ｃが大きい場合、画面中央と画面周辺で閃光発光の届き方にムラが生じていると判断できる。例えば、閃光発光に強く照らされる手前被写体と、閃光発光が届きにくい遠景が一画面内に混在するなどの状況である。
そこで、マイクロプロセッサ２９は、変化量Ｃが大きいほど、閃光色温度の色偏りの補正を強めたホワイトバランス調整値を設定する（図４参照）。
この設定により、閃光発光がよく届く近場の被写体（主要被写体である可能性大）の色再現性を高めることが可能になる。
【００４６】
（変化量Ｃが小さいケース）
一方、変化量Ｃが小さい場合、画面中央と画面周辺で閃光照明が一様である、あるいは一様に届かないかのいずれかである。これらの被写体配置では、照明光のムラは少なく、照明の均一度が高いと判断できる。
そこで、マイクロプロセッサ２９は、変化量Ｃが小さいほど、相関色温度の色偏りの補正を強めたホワイトバランス調整値を設定する（図４参照）。
この設定により、画面全体の均一照明に合わせたホワイトバランス調整値が設定され、画面全体の色再現性を高めることが可能になる。
【００４７】
［ステップＳ１３］  上記のように、変化量Ｃが大きい場合、近場の被写体に閃光発光がよく届いていると判断できる。このような近場の被写体については、照明光全体に占める閃光の割合が高く、蛍光灯などの緑かぶりは殆ど発生しない。
そこで、マイクロプロセッサ２９は、変化量Ｃが大きいほど、緑かぶりの補正量を小さくするように、緑かぶりの補正係数を調整する（図５参照）。
この設定により、閃光発光がよく届く近場の被写体（主要被写体である可能性大）に、逆方向のマゼンダかぶりが生じるといった不具合を防止することができる。
【００４８】
［ステップＳ１４］  マイクロプロセッサ２９は、ステップＳ１２で設定した『ホワイトバランス調整値』、およびステップＳ１３で調整した『緑かぶりの補正係数』を読み出す。マイクロプロセッサ２９は、読み出した値に基づいて、ステップＳ６で撮影した本画像の色成分ゲインを調整し、色バランス調整済みの本画像を生成する。
【００４９】
《第１実施形態の効果など》
以上説明したように、第１実施形態では、非閃光画像の画面内の輝度比Ｒｎｆと、閃光画像の画面内の輝度比Ｒｆとの変化量Ｃを求める。この変化量Ｃが大きければ、画面内に閃光照明を強く受けた近場の被写体が存在すると推定できる。そこで、第１実施形態では、輝度比の変化量Ｃが大きいほど、閃光色温度の寄与率を高めたホワイトバランス調整値を使用する。その結果、閃光の色温度に染まった近場の被写体（主要被写体の可能性大）の色再現性を高めることができる。
【００５０】
さらに、これらの輝度比は、画面内の相対的な比率のため、両画像（非閃光画像および閃光画像）の露出条件の違いは現れにくい。したがって、両画像の露出条件の違いによって輝度の平均値がずれても、変化量Ｃを正確に求めることができる。そのため、非閃光画像の電荷蓄積時間を適度に短縮することが可能であり、上述した一連の撮像シーケンスを時間短縮することができる。
【００５１】
さらに、第１実施形態では、変化量Ｃが大きいほど、緑かぶりの補正量を下げる。その結果、画面内の閃光照明がよく当たっている箇所に対して、緑かぶりの過剰補正を防止し、過剰補正に伴うマゼンタかぶりを適切に防止することができる。
次に別の実施形態について説明する。
【００５２】
（２）第２実施形態
第２実施形態における電子カメラの構成は、第１実施形態（図１，図２）と同一のため、ここでの説明を省略する。
図６は、第２実施形態の動作を説明する流れ図である。
以下、図６に示すステップ番号に沿って、電子カメラ１１の動作を説明する。
【００５３】
［ステップＳ３１〜Ｓ３２］  第１実施形態のステップＳ１〜Ｓ２と同一。
【００５４】
［ステップＳ３３］  マイクロプロセッサ２９は、レリーズ釦２９ａが全押しされたか否かを判断する。
もしも、レリーズ釦２９ａが全押しされた場合、マイクロプロセッサ２９はステップＳ３４に動作を移行する。
一方、レリーズ釦２９ａが全押し以外（半押しまたは押されていない）の場合、マイクロプロセッサ２９は、ステップＳ３１に動作を戻す。
【００５５】
［ステップＳ３４］  マイクロプロセッサ２９は、電子閃光装置１２にプリ発光を実施させ、測光用撮像素子１８から閃光画像を得る。
【００５６】
［ステップＳ３５］  マイクロプロセッサ２９は、プリ発光の分割測光結果（つまり閃光画像）に基づいて、本発光の目標発光量を決定する。
【００５７】
［ステップＳ３６］  マイクロプロセッサ２９は、閃光画像を、画面中央域と画面周辺域とに区分し、それぞれに平均輝度を求める。マイクロプロセッサ２９は、この『画面中央域の平均輝度』と『画面周辺域の平均輝度』との比を求め、輝度比Ｒｆとする。
【００５８】
［ステップＳ３７］  続いて、マイクロプロセッサ２９は、ミラー１５を跳ね上げ、シャッタ１９ａの先幕を開いて、記録用撮像素子１９の撮像面に被写体像を投影開始する。
単発式の本発光を実施する場合、シャッタ１９ａが全開した時点で、マイクロプロセッサ２９は、電子閃光装置１２に本発光を開始させる。電子閃光装置１２は、この本発光の発光量をモニタし、目標光量に到達した時点で、本発光を停止させる。
一方、設定された電荷蓄積時間が経過すると、マイクロプロセッサ２９は、シャッタ１９ａの後幕を閉じる。このようにしてシャッタ１９ａが完全に閉じると、マイクロプロセッサ２９は、ミラー１５を下に降ろす。
【００５９】
［ステップＳ３８］  マイクロプロセッサ２９は、撮像制御部２７を用いて記録用撮像素子１９に駆動信号を与える。記録用撮像素子１９からは、本画像が出力される。この本画像は、Ａ／Ｄ変換部２１を介して画素単位にデジタル化された後、画像メモリ２２に一時蓄積される。
【００６０】
［ステップＳ３９］  マイクロプロセッサ２９は、画像メモリ２２内にアクセスして、本画像から低彩度領域（彩度が所定値以下の領域）を読み出す。マイクロプロセッサ２９は、この低彩度領域のＲＧＢ色成分について小領域（例えば画素毎）ごとに色度（Ｒ／Ｇ，Ｂ／Ｇ）を求め、これら色度の分布中心を求める。続いて、マイクロプロセッサ２９は、この分布中心と、色度座標上の黒体軌跡との乖離を判定する。
さらに、マイクロプロセッサ２９は、この分布中心を黒体軌跡に写像し、黒体軌跡上の相関色温度を検出する。
【００６１】
［ステップＳ４０］  マイクロプロセッサ２９は、黒体軌跡から緑方向への乖離を短縮するための色比率（ＲゲインおよびＢゲイン）を求めて、緑かぶりの補正係数とする。
【００６２】
［ステップＳ４１］  マイクロプロセッサ２９は、プリ発光に伴う輝度比Ｒｎｆ、Ｒｆの変化量Ｃを求める。
変化量Ｃ＝｜輝度比Ｒｆ−輝度比Ｒｎｆ｜
【００６３】
［ステップＳ４２〜Ｓ４３］  第１実施形態のステップＳ１２〜Ｓ１４と同一。
【００６４】
《第２実施形態の効果など》
以上説明したように、第２実施形態においても、第１実施形態と同様の効果を得ることができる。
【００６５】
さらに、第２実施形態では、測光用撮像素子１８を用いて、プリ発光の前後で輝度比を比較する。この場合、非閃光画像および閃光画像のどちらも画素数が少なくなるため、輝度比や変化量Ｃの算出処理にかかる処理コストが小さくなる。その結果、一連の撮像シーケンスを一段と軽快にすることができる。
【００６６】
《実施形態の補足事項》
なお、上述した実施形態では、一眼式の電子カメラ１１について説明した。しかしながら、本発明はこれに限定されるものではない。例えば、コンパクトタイプの電子カメラに本発明を適用することもできる。この場合、非閃光画像を記録用撮像素子で撮像してもよい。このような構成では、測光用撮像素子１８が不要となり、撮像部の構成をより単純化することができる。
【００６７】
また、上述した実施形態では、画像全体に対して、一つの色バランス調整値を決定している。しかしながら、本発明はこれに限定されるものではない。例えば、画面を複数の領域に分割し、領域ごとに本発明の色バランス調整値を決定してもよい。この場合、領域ごとに照明状態の均一性判断を行い、その均一性判断に従って領域ごとに適切な色バランス調整値を決定できる。
【００６８】
なお、上述した実施形態では、内蔵タイプの電子閃光装置１２を使用するケースについて説明した。しかしながら、本発明はこれに限定されるものではない。外付けタイプの電子閃光装置を使用するケースに本発明を適用してもかまわない。
【００６９】
さらに、上述した実施形態では、電子カメラ内で色バランス調整を実施するケースについて説明した。しかしながら、これに限定されるものではない。例えば、図３や図６に示した処理の一部または全部を実施するプログラムを作成してもよい。このプログラムを外部のコンピュータ上で実行することにより、上述した画像処理をコンピュータ上で実施することが可能になる。
【００７０】
また、上述した実施形態では、輝度比Ｒｎｆ，Ｒｆの差分の大きさを求めて、変化量Ｃとしている。しかしながら、本発明はこれに限定されるものではない。例えば、輝度比Ｒｎｆ，Ｒｆの比（Ｒｆ／Ｒｎｆなど）を求めて、変化量Ｃとしてもよい。
【００７１】
なお、上述した実施形態では、画面中央域と画面周辺域との輝度比を求めている。しかしながら、本発明はこれに限定されるものではない。一般に、画面内の異なる領域について輝度比を求めればよい。例えば、選択中のＡＦエリアの近傍域と、その他領域との輝度比を求めてもよい。また例えば、画面中央域と画面全域との輝度比を求めてもよい。
【産業上の利用可能性】
【００７２】
以上説明したように、本発明は、電子カメラや画像処理プログラムなどに利用可能な技術である。
【図面の簡単な説明】
【００７３】
【図１】本実施形態における電子カメラ１１の部品配置を説明する図である。
【図２】この電子カメラ１１の画像処理に関するブロック図である。
【図３】第１実施形態の動作を説明する流れ図である。
【図４】変化量Ｃと色バランス調整値との関係を示す図である。
【図５】変化量Ｃと緑かぶり補正量との関係を示す図である。
【図６】第２実施形態の動作を説明する流れ図である。
【符号の説明】
【００７４】
１１  電子カメラ
１２  電子閃光装置
１３  撮影レンズ
１５  ミラー
１６  拡散板
１７  ファインダー光学系
１８  測光用撮像素子
１９  記録用撮像素子
１９ａ  シャッタ
２０  Ａ／Ｄ変換部
２１  Ａ／Ｄ変換部
２２  画像メモリ
２３  バス
２４  画像処理部
２５  圧縮記録部
２６  メモリカード
２７  撮像制御部
２８  閃光発光制御部
２９  マイクロプロセッサ
２９ａ  レリーズ釦
【図１】
2006054775.tif 000003
【図２】
2006054775.tif 000004
【図３】
2006054775.tif 000005
【図４】
2006054775.tif 000006
【図５】
2006054775.tif 000007
【図６】
2006054775.tif 000008